(57)【要約】【課題】冷却器による熱交換の効率を高める。【解決手段】本発明の冷却庫は、前面開口でかつ同前面開口に断熱扉１４を装着してなる冷却庫本体１０の内部には、右側に被冷却物を収納する収納室１５が設けられ、左側に設けられた設置室１６には、収納室１５と対面する方向の前後に冷却ファン２２と冷却器２１とが配されてケーシング２３，２４内に収められてなる冷却ユニット２０が設置され、冷却ファン２２の駆動に伴い、収納室１５の空気が冷却ユニット２０の前面の吸込口２８から吸い込まれて冷却器２１と熱交換することで冷気が生成され、同冷気が冷却ユニット２０の背面の吹出口２９から吹き出されたのち同冷却ユニット２０の側面側に回り込んで収納室１５に循環供給され、冷却ファン２２と冷却器２１の間には、吸込口２８から吸い込まれた空気を冷却器２１の前面下端に向けて斜め下方に流通案内するエアガイド３２が設けられる。【選択図】図３
2010190492.tif 000002
【特許請求の範囲】
【請求項１】
前面開口でかつ同前面開口に扉を装着してなる冷却庫本体の内部には、間口方向の一側に被冷却物を収納する収納室が設けられるとともに、他側に設けられた設置室には、前記収納室と対面する方向の前後に冷却ファンと冷却器とが配されてケーシング内に収められてなる冷却ユニットが設置され、
前記冷却ファンの駆動に伴い、前記収納室の空気が前記冷却ユニットの前面の吸込口から吸い込まれて前記冷却器と熱交換することで冷気が生成され、同冷気が前記冷却ユニットの背面の吹出口から吹き出されたのち同冷却ユニットの側面側に回り込んで前記収納室に循環供給されるようになっており、
かつ前記冷却ファンと前記冷却器の間には、前記吸込口から吸い込まれた空気を前記冷却器の前面下端に向けて斜め下方に流通案内するエアガイドが設けられていることを特徴とする冷却庫。
【請求項２】
前記冷却器には、同冷却器に付着した霜を溶かすヒータが設けられ、前記冷却器の下方には、前記ヒータの熱で溶けて落下した霜や除霜水を受けるドレンパンが設置されており、
前記エアガイドは、前記ドレンパンの上面開口部に連続していることを特徴とする請求項１に記載の冷却庫。
【請求項３】
前記ヒータは、前記エアガイドの上面に落ちた霜と接触可能な取り回しで配置された管状ヒータであることを特徴とする請求項２に記載の冷却庫。
【請求項４】
前記エアガイドは、前記ドレンパンの側面部に沿って下方に延出されており、その延出端部には、前記ドレンパンの下面部を支持するレールが設けられていることを特徴とする請求項２または請求項３に記載の冷却庫。
【請求項５】
前記レールは、前記エアガイドと一体に形成されていることを特徴とする請求項４に記載の冷却庫。
【発明の詳細な説明】
【技術分野】
【０００１】
本発明は、横型冷却庫等の冷却庫に関する。
【背景技術】
【０００２】
この種の冷却庫として、例えば下記特許文献１に記載のものが知られている。前面開口の冷却庫本体の内部には、加熱調理済みの食品を入れたトレイを多段に収納できるようにした収納室と冷却ユニットが設置された設置室とが間口方向に並んで設けられている。冷却ユニットは、収納室に対面する方向の前側に配置された冷却ファンと、その冷却ファンの後側に配置された冷却器とを備えている。冷却ファンと冷却器はともにケーシングの内部に収められており、冷却ファンを駆動することにより、収納室の空気が設置室側に吸い込まれて冷却器を通過する間に冷気が生成され、その冷気が再び収納室に送り込まれる。これにより、食品が冷却されるようになっている。
【先行技術文献】
【特許文献】
【０００３】
【特許文献１】特開２００８−１０６９７８号公報
【発明の概要】
【発明が解決しようとする課題】
【０００４】
しかしながら、冷却ファンから冷却器に向かう空気の一部は、僅かではあるものの、冷却ファンと冷却器との間における下端部に滞留することが考えられる。また、冷却器の前面下端は、冷却ファンよりも下方に配置されているため、冷却ファンから冷却器に向かう空気は主に冷却器の下端部よりも上方部分を通過しやすくなる。このように、冷却器による熱交換の効率を高めるため、さらなる改良が切望されていた。
本発明は上記のような事情に基づいて完成されたものであって、冷却器による熱交換の効率を高めることを目的とする。
【課題を解決するための手段】
【０００５】
本発明の冷却庫は、前面開口でかつ同前面開口に扉を装着してなる冷却庫本体の内部には、間口方向の一側に被冷却物を収納する収納室が設けられるとともに、他側に設けられた設置室には、前記収納室と対面する方向の前後に隙間を有して冷却ファンと冷却器とが配されてケーシング内に収められてなる冷却ユニットが設置され、前記冷却ファンの駆動に伴い、前記収納室の空気が前記冷却ユニットの前面の吸込口から吸い込まれて前記冷却器と熱交換することで冷気が生成され、同冷気が前記冷却ユニットの背面の吹出口から吹き出されたのち同冷却ユニットの側面側に回り込んで前記収納室に循環供給されるようになっており、かつ前記冷却ファンと前記冷却器の間には、前記吸込口から吸い込まれた空気を前記冷却器の前面下端に向けて斜め下方に流通案内するエアガイドが設けられている構成としたところに特徴を有する。
【０００６】
上記構成によれば、冷却器の前面下端が冷却ファンよりも下方に配置されている場合においても、冷却ファンの吸込口から吸い込まれた空気の一部を、エアガイドで案内して斜め下方に流通させ、冷却器と冷却ファンの間における下端部に滞留させることなく、冷却器の下端部にも送り込むことができる。したがって、冷却ファンから吹き出された空気が冷却器の上下方向の全域にわたって満遍なく通過し、冷却器による熱交換の効率を高めることができる。
【０００７】
また、以下のような構成としてもよい。
（１）前記冷却器には、同冷却器に付着した霜を溶かすヒータが設けられ、前記冷却器の下方には、前記ヒータの熱で溶けて落下した霜や除霜水を受けるドレンパンが設置されており、前記エアガイドは、前記ドレンパンの上面開口部に連続している。このようにすれば、冷却器に付着した霜がヒータの熱で溶かされ、溶けた霜がエアガイドの上面に落下した場合においても、この霜をエアガイドの上面からドレンパンの上面開口部に案内し、ドレンパンで受けることができる。
（２）前記ヒータは、前記エアガイドの上面に落ちた霜と接触可能な取り回しで配置された管状ヒータである。このような管状ヒータを設けると、エアガイドの上面に落ちた霜を溶かすことができるため、エアガイドの上面に霜が堆積することがない。
【０００８】
（３）前記エアガイドは、前記ドレンパンの側面部に沿って下方に延出されており、その延出端部には、前記ドレンパンの下面部を支持するレールが設けられている。すなわち、エアガイドにレールを設けたから、このレールによってドレンパンの下面部を支持することができる。
（４）前記レールは、前記エアガイドと一体に形成されている。このようにすれば、エアガイドとは別にレールを設けなくてよいから、部品点数の削減や構造の簡略化が図られる。
【発明の効果】
【０００９】
本発明によれば、冷却器による熱交換の効率を高め、冷却庫の冷却性能をより高めることが可能となる。
【図面の簡単な説明】
【００１０】
【図１】本発明の一実施形態に係る急速冷却庫の正面図
【図２】急速冷却庫の断熱扉を開けた状態の斜視図
【図３】庫内構造を示す正面図
【図４】図１のＡ−Ａ線断面図
【図５】冷却ユニットを手前側から見た側面図
【図６】冷却ユニットのファンケースを開けた状態の斜視図
【図７】図６においてドレンパンを取り外した状態の斜視図
【図８】図１のＢ−Ｂ線断面図
【図９】冷却庫本体の斜視図
【図１０】庫内の底面と内周面との合わせ部に形成された段差を示す断面図
【図１１】断熱扉によってドレンパンが押し込まれる様子を示した図
【発明を実施するための形態】
【００１１】
＜実施形態＞
本発明の実施形態を図１ないし図１１を参照しながら説明する。本実施形態の冷却庫はいわゆる横型冷却庫であって、図１に示すように、機械室１１の右側に冷却庫本体（以下、単に本体１０という）が設置されている。機械室１１と本体１０は横方向に並んで組み付けられており、機械室１１および本体１０の底面に配された複数の脚１２によって支持されている。本体１０は、図２に示すように、前面が開口された断熱箱体からなり、同本体１０の前面開口部１３には、断熱扉１４が正面から見た右側縁を中心として揺動開閉可能に装着されている。なお、本体１０および機械室１１の上面には、一枚板状をなす天板が取り付けられており、この天板上で調理などができるようになっている。
本体１０の内面は、図９に示すように、略方形の底面１０Ｂと、底面１０Ｂの左端から立ち上がる左側面１０Ｌ、底面１０Ｂの右端から立ち上がる右側面１０Ｒ、底面１０Ｂの奥端から立ち上がる奥面１０Ｃ、底面１０Ｂと対向配置された天井面１０Ａなどを備えて構成されている。ここで、底面１０Ｂと内周面（左側面１０Ｌ、右側面１０Ｒ、および奥面１０Ｃ）との合わせ部には、図１０に示すように、段差１０Ｄが設けられている。この段差１０Ｄにコーキングガン４２の先端部分を載せることによって、コーキングガン４２を段差１０Ｄに沿って誘導しやすくなっている。
【００１２】
本体１０の内部すなわち庫内では、図３および図８に示すように、正面から見た右側の６割程度の領域が、食品の収納室１５とされ、残りの左側の領域が、冷却ユニット２０の設置室１６となっている。収納室１５には、ホテルパンなどのトレイ（図示せず）が複数段にわたり、前方から出し入れされて収納可能となっている。そのため、収納室１５の左右の側面には、一対のトレイ受け２５が対向して取り付けられている。
冷却ユニット２０は、冷却器２１と冷却ファン２２とを組み付けてユニット化したものである。冷却器２１と冷却ファン２２は、収納室１５と対面する方向の前後に配置されている。すなわち、冷却ファン２２は、収納室１５と対面する前側に配置されており、冷却器２１は、冷却ファン２２の後側に配置されている。
【００１３】
冷却器２１は、庫内の高さよりも若干低い高さ寸法と、同庫内の奥行きの半分強の幅とを持った縦長のブロック状に形成されている。この冷却器２１は、図６に示す収納室１５側の正面板２３Ｃと、その反対側の背面板２３Ｂの両面に開口部を設けた冷却器カバー２３内に収められている。両開口部のうち正面板２３Ｃに設けた開口部は、収納室１５の庫内空気を吸い込む吸込口２８であり、背面板２３Ｂに設けた開口部は、冷却器２１で生成された冷気を吹き出す吹出口２９である。
吸込口２８は、ファンケース２４の正面板２４Ｃにおける冷却ファン２２の配設位置と対応した位置に形成されている。一方、吹出口２９は、冷却器カバー２３の背面板２３Ｂのほぼ全面に形成されている。また、ファンケース２４の背面側における冷却ファン２２の周囲には、図６に示すように、正面板２４Ｃの裏面から立ち上がる立壁２４Ｄが立設されている。この立壁２４Ｄによって、吸込口２８から吸い込まれた庫内空気が冷却器２１に向けて流通案内される。
また、冷却器２１の前面（正面板２３Ｃに沿う面）には、管状に形成された管状ヒータ４０が配設されている。管状ヒータ４０は、冷却器２１の前面において複数段にわたって配置されている。最下段の管状ヒータ４０は、冷却器２１の前面下端部付近に配置されている。この管状ヒータ４０によって冷却器２１に付着した霜を溶かし、冷却器２１から落下した霜や除霜水が後記するドレンパン４３に収容されるようになっている。
【００１４】
冷却ファン２２は、ファンケース２４内に装着されている。図８に示すように、ファンケース２４は、その手前側の側面板２４Ａが、冷却器カバー２３の手前側の側面板２３Ａと面一となった状態で重ねられ、そのとき奥側の側面板２４Ｂの開口縁が、冷却器カバー２３における奥側に張り出した部分の正面板２３Ｃに当てられ、上下２箇所においてヒンジ２６により揺動開閉可能に取り付けられている。ファンケース２４の手前側の側面板２４Ａと、冷却器カバー２３の手前側の側面板２３Ａとの互いに突き合わされる開口縁同士の間には、図５に示すように、上下２箇所において閉鎖状態に施錠する施錠装置２７が設けられている。施錠装置２７を解錠すると、ファンケース２４はヒンジ２６を中心として図８の反時計回り方向に９０度揺動して開放できるようになっている。
冷却器カバー２３の上面板２３Ｄには、図６に示すように、前側（収納室１５側）に張り出すフランジ３０が設けられている。このフランジ３０を庫内の天井面１０Ａにねじ止めすることによって冷却ユニット２０が庫内の天井面１０Ａに固定されるようになっている。一方、冷却器カバー２３の背面板２３Ｂにおける下端部には、冷却ユニット２０を庫内の左側面１０Ｌに固定するためのブラケット３１が取り付けられている。
【００１５】
ブラケット３１は、図７に示すように、上側の水平部分からなる後側ガイド部３１Ａ、この後側ガイド部３１Ａの後端から庫内の左側面１０Ｌに沿って垂下した取付部３１Ｂ、下側の短寸の水平部分からなる左側レール３１Ｃなどを備えて構成されている。冷却ユニット２０は、取付部３１Ｂを庫内の左側面１０Ｌの下部にねじ止めすることによって同左側面１０Ｌに固定されるようになっている。また、左側レール３１Ｃは、後記するドレンパン４３の下面部における側縁部を受ける部分となっている。
なお、冷却ユニット２０の背面側には、図５に示すように、一対の冷媒管３９が引き出されている。両冷媒管３９は、機械室１１内に装備された冷凍装置５０に循環接続されている。これにより、冷凍回路が構成される。また、冷却ユニット２０の奥側には、庫内温度センサ３８が取り付けられており、この庫内温度センサ３８によって得られた温度データに基づいて庫内の温度が一定の温度に保持されるように制御されている。一方、冷却ユニット２０の手前側には、芯温センサ４５が着脱可能に取り付けられている。
【００１６】
さて、冷却器カバー２３の前面下端には、図７に示すように、エアガイド３２が取り付けられている。前記したように、冷却ファン２２と冷却器２１は前後に対向して配置されており、冷却ファン２２と冷却器２１の間における下端部に冷却ファン２２から吹き出された庫内空気の一部が滞留することを規制するため、冷却器カバー２３にエアガイド３２を設けることにより、冷却器２１に庫内空気が直接送られるようにしている。
エアガイド３２は、冷却器カバー２３の前面下端に向けて斜め下方に傾斜する前側ガイド部３２Ａと、この前側ガイド部３２Ａの下端から垂下した取付部３２Ｂと、下側の短寸の水平部分からなる右側レール３２Ｃとから構成されている。前側ガイド部３２Ａと取付部３２Ｂと右側レール３２Ｃは、一枚の金属板から打ち抜き加工や折り曲げ加工などを施すことによって一体に形成されている。このため、前側ガイド部３２Ａと取付部３２Ｂと右側レール３２Ｃを別々に設けなくてよいから、部品点数の削減や構造の簡略化が図られる。
【００１７】
エアガイド３２における前側ガイド部３２Ａと取付部３２Ｂとの角部付近は、最下段の管状ヒータ４０と接触ないし近接した配置とされている。このため、管状ヒータ４０の熱を前側ガイド部３２Ａや取付部３２Ｂに伝えることができる。したがって、冷却器２１から落下した霜を、前側ガイド部３２Ａの上面で間接的に溶かしたり、あるいは、管状ヒータ４０によって直接溶かすことができるため、前側ガイド部３２Ａの上面に霜が堆積することはない。
前側ガイド部３２Ａの上端は、図３に示すように、立壁２４Ｄの下端部先端とほぼ対向しており、前側ガイド部３２Ａは、立壁２４Ｄの下端部先端から冷却器２１の前面下端に向けて斜め下方に形成されている。このようにすると、冷却ファン２２から吹き出された庫内空気を、冷却器２１の下端部にも流通させることができるため、冷却器２１による熱交換を効率的に行うことができる。
【００１８】
冷却器カバー２３の下面側には、図６または図７に示すように、冷却器２１からの除霜水を受けるドレンパン４３の収容部４１が配置されている。収容部４１は、エアガイド３２の取付部３２Ｂ、右側レール３２Ｃ、ブラケット３１の左側レール３１Ｃ、この左側レール３１Ｃと取付部３１Ｂとを接続する垂直部３１Ｄなどによって構成されている。
ドレンパン４３は、収容部４１の奥行一杯に収容可能なように、奥行方向に細長い上面開口の角箱形状に形成されている。ドレンパン４３の手前側の面の上縁には、取っ手４４が形成されている。ドレンパン４３の下面部における左側縁部は、左側レール３１Ｃによって支持されている一方、同下面部における右側縁部は、右側レール３２Ｃによって支持されている。したがって、ドレンパン４３は、収容部４１内に出し入れ自在とされている。また、ドレンパン４３の左右両側面はエアガイド３２の取付部３２Ｂとブラケット３１の垂直部３１Ｄとによって挟持されているため、ドレンパン４３の奥行方向における移動が案内される。
なお、ドレンパン４３を定位置にない状態で、断熱扉１４を閉めてしまったときには、図１１に示すように、断熱扉１４の庫内面によってドレンパン４３が収容部４１の奥行方向に押し込まれ、断熱扉１４を閉じることによってドレンパン４３が図８に示す定位置に収まるようになっている。
【００１９】
ドレンパン４３の右側面における上縁は、エアガイド３２の取付部３２Ｂと接触している。このため、前側ガイド部３２Ａの上面で溶けた除霜水は、取付部３２Ｂを伝ってドレンパン４３の内部に進入することになる。したがって、前側ガイド部３２Ａの上面で溶けた除霜水をドレンパン４３の内部に回収することができる。
ところで、図５に示すように、ドレンパン４３の取っ手４４は水平面とされており、さらに取っ手４４の上面は、後側ガイド部３１Ａの上面と面一に配置されている。したがって、吹出口２９から背面側に吹き出された冷気は、図８の矢線（一点鎖線）に示すように、庫内の左側面１０Ｌで手前側と奥側の二手に分岐し、手前側に流れた冷気Ｃ１は、後側ガイド部３１Ａの上面から取っ手４４の上面を通って収納室１５へスムーズに流れ、奥側に流れた冷気Ｃ２は、後側ガイド部３１Ａの上面から冷却ユニット２０の奥側に形成された通気路を通って収納室１５に流れることになる。
また、取っ手４４と後側ガイド部３１Ａとの間には、わずかな隙間が設定されており、除霜運転時に溶けた霜が後側ガイド部３１Ａの上面から取っ手４４の上面に流れ込むことはなく、庫内の底面１０Ｂもしくはドレンパン４３の内部に落ちるようになっている。また、取っ手４４と断熱扉１４との間にも、わずかな隙間が設定されており、除霜運転時に溶けた霜が取っ手４４の上面を伝って庫外へ落ちることはなく、庫内の底面１０Ｂに落ちるようになっている。
【００２０】
本実施形態は以上のような構成であって、続いてその作用について説明する。基本的な冷却運転は、冷凍装置５０（圧縮機）と冷却ファン２２とが駆動されることで行われ、図８に示すように、収納室１５の空気Ｃ３がファンケース２４の吸込口２８から冷却ユニット２０内に吸引されて冷却器２１を通過する間に冷気が生成され、冷却器カバー２３の背面側の開口である吹出口２９から吹き出された冷気Ｃ１，Ｃ２は、庫内の左側面１０Ｌに当たって手前側と奥側に分かれて冷却器２１の手前側と奥側の側面に回り込んだ後、一部が右側面１０Ｒ側まで流通しつつ収納室１５に送り込まれる。
このように冷気Ｃ１，Ｃ２，Ｃ３が循環することによってトレイ（図示せず）に入れられた食品が急速冷却される。この間、庫内温度センサ３８により庫内温度が検出され、その検出温度と、予め定められた庫内設定温度との比較に基づいて冷凍装置５０がオンオフされ、庫内がほぼ設定温度に維持される。一方、収納された食品には、芯温センサ４５が差し込まれて同食品の芯温（内部温度）が検出され、その検出温度が、予め定められた芯温の設定温度まで低下したら、所定の急速冷却が完了したとみなされて、冷却運転が停止されるようになっている。
【００２１】
ここで本実施形態では、冷却器２１が冷却ファン２２の後側に配置されており、かつ、冷却器２１の前面下端が冷却ファン２２よりも下方に設置されているため、冷却ファン２２からの庫内空気が冷却器２１の下端部よりも上方部分を通過しやすくなることが考えられる。このため、冷却器２１の下端部にも庫内空気を送り込むことによって、熱交換の効率をさらに向上させる余地がある。
その点本実施形態では、冷却ファン２２の周囲に設けられた立壁２４Ｄの下端部から冷却器２１の前面下端に向けて斜め下方に延びるエアガイド３２を設けたから、冷却ファン２２からの庫内空気が前記隙前に入り込んで滞留することがなく、エアガイド３２に沿って庫内空気を流通させて冷却器２１の下端部にも庫内空気を送り込むことができる。したがって、冷却ファン２２から吹き出された庫内空気が冷却器２１の上下方向の全域にわたって満遍なく通過し、冷却器２１による熱交換の効率を高めることができる。
【００２２】
また、ドレンパン４３の取っ手４４の上面は、後側ガイド部３１Ａの上面と面一に配置されているため、庫内の左側面１０Ｌで手前側に分岐した冷気Ｃ１を、後側ガイド部３１Ａの上面から取っ手４４の上面を通って収納室１５にスムーズに導くことができる。一方、冷却ユニット２０の奥側には、庫内の奥面１０Ｃとの間に通気路が形成されているため、庫内の左側面１０Ｌで奥側に分岐した冷気Ｃ２を、前記通気路を通って収納室１５に導くことができる。
また、除霜運転時に冷却器２１に付着した霜が管状ヒータ４０によって溶かされて、エアガイド３２の前側ガイド部３２Ａの上面に落下した場合、冷却器２１の前面下端付近に設置された最下段の管状ヒータ４０によって霜を溶かすことができ、前側ガイド部３２Ａの上面に霜が堆積することがない。このとき、前側ガイド部３２Ａの上面で溶けた霜は、除霜水となって前側ガイド部３２Ａから取付部３１Ｂを伝ってドレンパン４３の上面開口部から内部に進入する。
【００２３】
また、ドレンパン４３は、垂直部３１Ｄと取付部３２Ｂによって左右両側から挟持されることで奥行方向に案内可能となっているため、ドレンパン４３内に収容された除霜水を廃棄する際には、取っ手４４を手前側に引き出すことによってドレンパン４３を容易に取り外すことができる。また、ドレンパン４３の下面部の右側縁部を支持する右側レール３２Ｃは、エアガイド３２と一体に形成されているため、部品点数を削減することができ、構造を簡素化できる。
また、後側ガイド部３１Ａと取っ手４４との間に隙間を設けたから、除霜運転時に冷却器からの霜が溶けて除霜水となった後に、この除霜水が後側ガイド部３１Ａの上面を伝って取っ手４４の上面に伝わることがない。さらに、取っ手４４と断熱扉１４との間にも隙間を設けたから、除霜水が取っ手４４の上面から庫外へ流れ落ちることもない。また、ドレンパン４３が手前側に引き出された状態で断熱扉１４を閉じたとしても、この断熱扉１４によってドレンパン４３を定位置に押し込むことができるため、ドレンパン４３が引き出されたままとなることを規制できる。
【００２４】
＜他の実施形態＞
本発明は上記記述及び図面によって説明した実施形態に限定されるものではなく、例えば次のような実施形態も本発明の技術的範囲に含まれる。
（１）冷却ユニット２０の配設位置は、上記実施形態とは逆に、庫内の正面から見た右側に設置されていてもよい。この場合、機械室１１を本体１０の右側に設置し、冷却器２１と機械室１１を両冷媒管３９で接続すればよい。
（２）上記実施形態では冷却ユニット２０の背面側に吹き出された冷気Ｃ１，Ｃ２が手前側と奥側の両側に回り込むものを例示したものの、いずれか一方側に回り込むものであってもよい。
（３）上記実施形態ではエアガイド３２を冷却器２１側に取り付けたものを例示しているものの、本発明によると、エアガイド３２を冷却ファン２２側に取り付けてもよい。
【００２５】
（４）上記実施形態ではエアガイド３２の上端が冷却ファン２２の立壁２４Ｄの下端部先端と対向配置されているものの、本発明によると、エアガイド３２の上端を立壁２４Ｄの下端部先端よりも下方に配置してもよい。
（５）上記実施形態ではエアガイド３２をドレンパン４３とは別体に形成し、エアガイド３２をドレンパン４３の上面開口部に接触させているものの、本発明によると、エアガイド３２をドレンパン４３の上面開口部と一体に形成してもよい。
（６）上記実施形態ではエアガイド３２の前側ガイド部３２Ａの上面に落ちた霜を溶かすのに管状ヒータ４０を用いているものの、本発明によると、前側ガイド部３２Ａの下面に面状ヒータを設置するなどして霜を溶かしてもよい。
（７）上記実施形態ではドレンパン４３の下面部の右側縁部を支持する右側レール３２Ｃを設けているものの、本発明によると、ドレンパン４３の上面開口部から右側に張り出すフランジ部を設け、このフランジ部を支持する右側レールを設けてもよい。
【００２６】
（８）上記実施形態では右側レール３２Ｃをエアガイド３２と一体に形成しているものの、本発明によると、右側レール３２Ｃをエアガイド３２と別体に形成してもよい。この場合、ブラケット３１のみでドレンパン４３を支持してもよい。
（９）上記実施形態では、ドレンパン４３が左側レール３１Ｃと右側レール３２Ｃに沿って出し入れできるようになっているものの、このようなレールを備えていないものであってもよい。
（１０）本発明は上記実施形態に例示した急速冷却庫に限らず、庫内の左右一側に被冷却物の収納室が設けられる一方、他側に同収納室と対向するように冷却ユニットが設けられ、冷却ユニットの背面から吹き出された冷気が同冷却ユニットの側面側に回り込んで収納室に循環供給される形式の冷却庫全般に広く適用することができる。
【符号の説明】
【００２７】
１０…冷却庫本体  １３…前面開口部  １４…断熱扉  １５…収納室  １６…設置室  ２０…冷却ユニット  ２１…冷却器  ２３…冷却器カバー（ケーシング）  ２４…ファンケース（ケーシング）  ２８…吸込口  ２９…吹出口  ３２…エアガイド  ３２Ａ…前側ガイド部  ３２Ｃ…右側レール  ４０…管状ヒータ  ４３…ドレンパン
【図１】
2010190492.tif 000003
【図２】
2010190492.tif 000004
【図３】
2010190492.tif 000005
【図４】
2010190492.tif 000006
【図５】
2010190492.tif 000007
【図６】
2010190492.tif 000008
【図７】
2010190492.tif 000009
【図８】
2010190492.tif 000010
【図９】
2010190492.tif 000011
【図１０】
2010190492.tif 000012
【図１１】
2010190492.tif 000013